(57)【要約】【課題】視聴される映像コンテンツの数の変化に対応して、映像コンテンツのフレームレートを変更する際に、乱れた映像を視聴者に見せないようにする。【解決手段】映像表示装置１００は、シャッタ式眼鏡２００ａ乃至ｃを用いて複数のコンテンツの映像視聴が可能であり、複数のコンテンツの映像を時分割で制御するとともに、表示映像と連動してシャッタ式眼鏡のシャッタ制御を行う。映像時分割出力処理部１０４は、制御部Ａ１０２の制御指令に従って複数のコンテンツの映像に係るデータを時分割処理して表示部１０６に出力する。制御部Ａ１０２は視聴するコンテンツの数に応じて表示映像のフレームレートを変更する。視聴される映像コンテンツの数が変更される場合、制御部Ａ１０２は、フレームレートの変更後に最初に出力される映像コンテンツのフレーム期間において全てのシャッタ式眼鏡２００ａ乃至ｃのシャッタを閉じるように制御する。【選択図】図１
2011118351.tif 000002
【特許請求の範囲】
【請求項１】
複数のシャッタ式眼鏡を用いて複数人がそれぞれ異なる映像コンテンツを視聴可能なように、複数の映像コンテンツを時分割で表示部に出力するとともに、視聴される映像コンテンツと連動して前記複数のシャッタ式眼鏡のシャッタ制御を行う映像表示装置であって、
前記複数の映像コンテンツを時分割処理して前記表示部に出力する処理手段と、
視聴される映像コンテンツの数に応じて、前記処理手段が前記表示部に出力する映像コンテンツのフレームレートを制御するとともに、前記複数のシャッタ式眼鏡のシャッタ制御を行う制御手段を備え、
前記制御手段は、視聴される映像コンテンツの数が変更される場合に、前記処理手段が前記表示部に出力する映像コンテンツのフレームレートを変更するとともに、フレームレートの変更後に最初に出力される映像コンテンツのフレーム期間において前記複数のシャッタ式眼鏡のシャッタを閉じるように制御することを特徴とする映像表示装置。
【請求項２】
前記制御手段は、視聴される映像コンテンツの数が増加する場合、追加される映像コンテンツのフレームが他の映像コンテンツのフレームよりも先に出力されるように、前記処理手段が前記表示部に出力する映像コンテンツの順序を変更することを特徴とする、請求項１記載の映像表示装置。
【請求項３】
前記制御手段は、視聴される映像コンテンツの数が減少する場合、視聴が中止される映像コンテンツのフレームが他の映像コンテンツのフレームよりも後に出力されるように、前記処理手段が前記表示部に出力する映像コンテンツの順序を変更することを特徴とする、請求項１記載の映像表示装置。
【請求項４】
複数のシャッタ式眼鏡を用いて複数人がそれぞれ異なる映像コンテンツを視聴可能なように、複数の映像コンテンツを時分割処理して表示部に出力する処理ステップと、視聴される映像コンテンツと連動して前記複数のシャッタ式眼鏡のシャッタ制御を行う制御ステップを有する、映像表示装置の制御方法であって、
前記視聴される映像コンテンツの数が変更される場合、前記制御ステップにて、前記表示部に出力する映像コンテンツのフレームレートを、視聴される映像コンテンツの数に応じて変更するとともに、フレームレートの変更後に最初に出力される映像コンテンツのフレーム期間において前記複数のシャッタ式眼鏡のシャッタを閉じることを特徴とする映像表示装置の制御方法。
【発明の詳細な説明】
【技術分野】
【０００１】
本発明は、シャッタ式眼鏡を用いて複数人で映像視聴が可能な映像表示装置及びその制御方法に関する。
【背景技術】
【０００２】
従来、３Ｄ（３次元）映像視聴を可能にするシステムとしてシャッタ式眼鏡を用いたものが一般的である。特許文献１には３次元映像や、複数の画面から特定の画面のみを視聴者に認識させることのできる立体映像システムと複合映像描写システム等が開示されている。
また、シャッタ式眼鏡を用いて複数人が異なる映像コンテンツを同時期に並行して視聴可能なシステムが特許文献２に開示されている。このシステムでは、Ｎ個の映像信号を同一の画面上に周期的に時分割で表示させ、画面に表示されているＮ個の映像信号の何れか１つが選択されると、選択された映像信号の周期に応じてシャッタ式眼鏡が開閉する。
【先行技術文献】
【特許文献】
【０００３】
【特許文献１】特開平０８−０４３７６６号公報
【特許文献２】特開平１０−２４０２１２号公報
【発明の概要】
【発明が解決しようとする課題】
【０００４】
従来の技術では、複数人で同時期に視聴可能な映像コンテンツの数が変更された場合に、該変更への対応が充分に講じられていないことが問題である。上記特許文献２では、視聴する映像コンテンツの数を変更したとしても表示装置のフレームレート（リフレッシュレート）の変更は行われない。具体的には、４人が同じ映像コンテンツを視聴していたとしても４つの入力端子からの入力が有効な状態であるため、その後段の処理部も常に動作し続けなければならず、システム全体の負荷が軽減されなかった。システム全体の負荷を最適化するため、視聴する映像コンテンツの数が変更された場合には、表示装置のフレームレート（リフレッシュレート）を切り替え可能な構成にすることが考えられる。しかし、その切り替え時に同期信号の不連続なフレームが発生した場合に映像の乱れが発生してしまう虞がある。より具体的には、フレームレート（リフレッシュレート）の変更に伴い同期信号のタイミングも変わるため、フレームレートの変更直後は表示装置側の動作が不安定になり、表示映像が乱れたり映像の欠落が生じたりすることがある。
そこで本発明は、視聴される映像コンテンツの数が変更された場合、映像コンテンツのフレームレート（リフレッシュレート）を変更する際に、乱れた映像を視聴者に見せないようにすることを目的とする。
【課題を解決するための手段】
【０００５】
上述した課題を解決するために、本発明に係る装置は、複数のシャッタ式眼鏡を用いて複数人がそれぞれ異なる映像コンテンツを視聴可能なように、複数の映像コンテンツを時分割で表示部に出力するとともに、視聴される映像コンテンツと連動して前記複数のシャッタ式眼鏡のシャッタ制御を行う映像表示装置であって、前記複数の映像コンテンツを時分割処理して前記表示部に出力する処理手段と、視聴される映像コンテンツの数に応じて、前記処理手段が前記表示部に出力する映像コンテンツのフレームレートを制御するとともに、前記複数のシャッタ式眼鏡のシャッタ制御を行う制御手段を備える。前記制御手段は、視聴される映像コンテンツの数が変更される場合に、前記処理手段が前記表示部に出力する映像コンテンツのフレームレートを変更するとともに、フレームレートの変更後に最初に出力される映像コンテンツのフレーム期間において前記複数のシャッタ式眼鏡のシャッタを閉じるように制御する。
【発明の効果】
【０００６】
本発明によれば、視聴される映像コンテンツの数の変化に対応して、映像コンテンツのフレームレートを変更する際に、乱れた映像を視聴者に見せないようにすることができる。
【図面の簡単な説明】
【０００７】
【図１】本発明の一実施形態に係るシステム構成例を示す機能ブロック図である。
【図２】通常動作時の同期制御例を示すタイミングチャートである。
【図３】映像コンテンツ数が増えた場合の動作フローチャートである。
【図４】映像コンテンツ数が２から３に増えた場合のタイミングチャートである。
【図５】映像コンテンツ数が減った場合の動作フローチャートである。
【図６】映像コンテンツ数が減った場合のタイミングチャートである。
【図７】映像コンテンツ数が減った場合における別の動作制御例を示すタイミングチャートである。
【発明を実施するための形態】
【０００８】
図１は本発明の一実施形態に係るシステム構成例を示すブロック図である。本例では具体的な説明を行うため、視聴可能な映像コンテンツの数及び視聴者の人数を３としたが、本発明は２人以上で視聴可能なシステムに適用できる。本システムは、映像表示装置１００とシャッタ式眼鏡２００ａ乃至ｃ、アンテナ３００、再生機器４００ａ乃至ｃで構成される。
映像表示装置１００は放送信号や外部入力信号を独立した３系統で入力することができ、映像の時分割表示機能を有する。
アンテナ３００は放送波を受信し、放送信号は入力処理部１０１ａ乃至ｃにそれぞれ入力される。
【０００９】
再生機器４００ａ乃至ｃは、記録媒体の情報を再生し、映像信号や音声信号等を映像表示装置１００に送出する。例えば、ＤＶＤ（Ｄｉｇｉｔａｌ  Ｖｅｒｓａｔｉｌｅ  Ｄｉｓｃ）やＢＤ（Ｂｌｕ−ｒａｙ  Ｄｉｓｃ）のプレイヤ等が挙げられる。読み取ったディスク情報は復号化処理を施され、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子等の出力端子から映像音声信号が出力される。
【００１０】
映像表示装置１００の内部構成を説明すると、入力処理部１０１ａ乃至ｃは、後述する制御部Ａ１０２からの制御指令に従い、放送受信と外部入力の切り替え処理、放送チャンネルの選局処理を行う。放送受信処理については各入力処理部がアンテナ３００からの放送信号を受信し、映像データと音声データに復号してメモリ１０３に出力する。外部入力処理においては、外部入力端子としてＨＤＭＩ端子が用いられる。再生機器４００ａ乃至ｃからそれぞれ出力される映像音声信号がＨＤＭＩ端子から入力され、各入力処理部は映像データと音声データをメモリ１０３に出力する。
受信部Ａ１０６は、後述するシャッタ式眼鏡２００ａ乃至ｃの操作入力部２０７を用いた操作指示の無線信号を受信し、指示内容を制御部Ａ１０２に伝える。
【００１１】
制御部Ａ１０２は、受信部Ａ１０６から操作指示信号を受けて各部を制御する。例えば、後述するシャッタ式眼鏡２００ａ乃至ｃの操作入力部２０７を用いた操作情報のうち、眼鏡の電源ＯＮ／ＯＦＦ情報、放送チャンネルの選局指示の情報、入力切り替えの操作情報等が受信部Ａ１０６から制御部Ａ１０２に送られる。制御部Ａ１０２は、入力処理部１０１ａ乃至ｃに対し、放送受信と外部入力の切り替えや、放送チャンネルの選局を指示する。また制御部Ａ１０２は後述する映像時分割出力処理部１０４や音声符号部１０７等を制御するが、その詳細は後述する。
【００１２】
メモリ１０３は、入力処理部１０１ａ乃至ｃからの映像データ及び音声データの一次記憶に用いる記憶装置である。本例では、最大３つの映像コンテンツが同時に入力可能である。映像データの入出力を交互に行うためのフレームバッファとして、６つの映像フレーム分のバッファが設けられ、メモリ１０３から読み出された映像データは映像時分割出力処理部１０４へと逐次に出力される。読み出された音声データは音声符号部１０７に出力される。音声符号部１０７は、メモリ１０３から読み出された音声データに対して、後述するシャッタ式眼鏡２００ａ乃至ｃの識別データを付加して送信部Ａ１０８に送る。その際、制御部Ａ１０２は音声符号部１０７に対し、表示部１０５に表示する映像と同期を取るよう出力タイミングを調整する。送信された音声データは後述するシャッタ式眼鏡２００ａ乃至ｃに付属のヘッドホン２０６からそれぞれ独立して出力される。
【００１３】
映像時分割出力処理部１０４は、制御部Ａ１０２の制御によりメモリ１０３から読み出した映像データを時分割処理して表示部１０５に出力する。複数人で映像を視聴できるように、映像データは表示する映像コンテンツの数に応じたフレームレートで時分割多重化された上で、表示部１０５に出力される。その際、制御部Ａ１０２は、前記操作情報に基づいて表示すべき映像コンテンツの数を決定し、映像時分割出力処理部１０４に対して時分割表示のフレームレートを設定する。また制御部Ａ１０２は、時分割多重化する映像コンテンツの表示順序も決定し、これを映像時分割出力処理部１０４に設定する。この設定により、時分割多重化する映像コンテンツの表示順序が変更される。
【００１４】
表示部１０５は、映像時分割出力処理部１０４により生成された、時分割多重化処理の施された映像データを受けて、変更後のフレームレートに従ったリフレッシュレートで映像表示を行う。
受信部Ａ１０６及び送信部Ａ１０８は、後述するシャッタ式眼鏡２００ａ乃至ｃとの間で赤外光による無線通信インターフェース部を構成している。送信部Ａ１０８は、各シャッタ式眼鏡の受信部Ｂ２０１に対し、シャッタ駆動部２０３を制御するためのシャッタ制御信号と、音声信号を送信する。
【００１５】
次に、シャッタ式眼鏡２００ａについて説明する。なおシャッタ式眼鏡２００ｂ、２００ｃについてもシャッタ式眼鏡２００ａと同じ構成であるため、それらの説明は省略する。各シャッタ式眼鏡の動作は映像表示装置１００の動作と連動して制御される。シャッタ式眼鏡２００ａは、時分割制御を実現するためのシャッタ部２０４と、視聴者が音声を個別に聞くためのヘッドホン２０６と、操作を行うための操作入力部２０７を備える。また、各シャッタ式眼鏡と映像表示装置１００との通信時には、各眼鏡に割り当てられた固有のＩＤ（識別情報）を用いて、個々の眼鏡の識別が可能である。
受信部Ｂ２０１は、映像表示装置１００の送信部Ａ１０８からシャッタ制御信号と音声信号を受信し、制御部Ｂ２０２に送る。
【００１６】
シャッタ式眼鏡２００ａを制御する制御部Ｂ２０２は、操作入力部２０７からの電源ＯＮ／ＯＦＦボタンの操作信号に従って、シャッタ式眼鏡２００ａの電源制御を行う。また制御部Ｂ２０２は、映像表示装置１００との通信において、上記した固有のＩＤを用いて自身に向けて送出された信号を選別する。また送信時に制御部Ｂ２０２は、固有のＩＤをデータに付加することにより、送信元がどの眼鏡をかけた使用者であるかを映像表示装置１００に通知する。制御部Ｂ２０２は、受信部Ｂ２０１が受信したシャッタ制御信号をシャッタ駆動部２０３に伝え、受信部Ｂ２０１で受信した音声データを音声復号部２０５に伝える。操作入力部２０７を用いた使用者操作情報、例えば眼鏡の電源ＯＮ／ＯＦＦ情報、放送チャンネルの選局、入力切り替えの操作情報は、制御部Ｂ２０２から送信部Ｂ２０８を介して映像表示装置１００に無線伝送される。
【００１７】
シャッタ駆動部２０３は、制御部Ｂ２０２からのシャッタ制御信号に従ってシャッタ部２０４を駆動する。シャッタ部２０４は、シャッタ駆動部２０３からの駆動信号を受けて、表示部１０５の表示動作に同期して、シャッタ式眼鏡２００ａをかけた使用者が選択している映像コンテンツのみを見られるように動作する。シャッタ部２０４には例えば液晶式シャッタが用いられ、駆動信号のＯＮ／ＯＦＦ状態に応じて光の透過及び遮断が制御される。
【００１８】
音声復号部２０５は、制御部Ｂ２０２からの符号化された音声データをアナログ音声データに復号する。音声復号部２０５は操作入力部２０７からのボリューム調整の操作指示に応じて音量調整を行う。ヘッドホン２０６は、音声復号部２０５から出力されるアナログ音声信号を音に変換して出力する。
操作入力部２０７は、使用者が操作に用いる複数の操作ボタンやスイッチを備える。例えば、シャッタ式眼鏡２００ａの電源ＯＮ／ＯＦＦ状態を切り替える電源ボタンや、放送受信のための放送の選局用ボタン、外部入力端子の入力切り替え用ボタン、音量調整用ボタン等が設けられている。
送信部Ｂ２０８は、シャッタ式眼鏡２００ａの電源ＯＮ／ＯＦＦ状態を示す情報、放送チャンネルの選局操作情報、入力切り替えの操作情報等を、映像表示装置１００の受信部Ａ１０６に対して無線送信する。
【００１９】
次に、図２のタイミングチャートを用いて、通常動作時における同期制御について説明する。本例では、視聴人数、映像コンテンツ数ともに２の場合を示す。
図中の入力映像Ａ乃至Ｃはそれぞれ、入力処理部１０１ａ乃至ｃの入力映像であり、メモリ１０３に記憶する映像データを示す。本例にて入力映像フレームＡ１乃至４、Ｂ１乃至４に対して、入力映像Ｃはデータが無いものとし、また各映像データのフレームレートは６０Ｈｚとしている。フレームグループ（以下、ＦＧと記す）は、映像表示装置１００の出力処理の単位を表し、入力映像Ａ、Ｂ、Ｃに共通のフレームレートである６０Ｈｚに相当する周期で１ずつカウント値が増加する信号である。
【００２０】
表示映像に示すＡ０乃至３はシャッタ式眼鏡２００ａ用の出力映像フレームを示し、Ｂ０乃至３はシャッタ式眼鏡２００ｂ用の出力映像フレームを示す。メモリ１０３から読み出されるデータについては、入出力バッファを交互に使用するため、入力映像ＡやＢのタイミングよりも１フレーム分の時間だけ遅延したデータとなる。本例では視聴可能な映像コンテンツの数が２であり、よって同期信号（垂直同期信号）にて示すように、出力映像データに係る表示部１０５のフレームレート（リフレッシュレート）は１２０Ｈｚとなる。また、シャッタ式眼鏡２００ａ、２００ｂの各シャッタ駆動部２０３は、シャッタ制御信号がＨＩ（ハイ）レベルの時にシャッタ部２０４を開き、ＬＯ（ロー）レベルの時にシャッタ部２０４を閉じるように駆動する。
【００２１】
映像時分割出力処理部１０４は、制御部Ａ１０２からの制御指令を受けて、メモリ１０３から図２の表示映像に示す順番で映像データを読み出し、これを表示部１０５に出力する。また、表示部１０５が表示する映像と、シャッタ式眼鏡２００ａ、２００ｂのシャッタ駆動は、図２に示すタイミングで同期制御され、これにより複数人による映像の視聴環境が実現される。具体的にはＦＧ１に示す期間において、シャッタ式眼鏡２００ａのシャッタ透過時（開状態）には表示部１０５がＡ１の映像フレームを表示し、シャッタ式眼鏡２００ｂのシャッタ透過時には表示部１０５がＢ１の映像フレームを表示する。
【００２２】
この制御により、シャッタ式眼鏡２００ａをかけた使用者には、表示映像としてＡの映像フレームのみ、すなわちＡ０乃至３が数字の順番で見えることとなる。また、シャッタ式眼鏡２００ｂをかけた使用者には、図２のシャッタ開閉タイミングに従い、表示映像としてＢの映像フレームのみ、すなわちＢ０乃至３が数字の順番で見えることとなる。なおシャッタ式眼鏡２００ｃについては電源ＯＦＦ状態であって動作していないため、制御の対象外である。
【００２３】
次に、図３に示すフローチャート及び図４のタイミングチャートを用いて、視聴人数及び映像コンテンツ数が２から３に増加した場合の制御例について説明する。なお、図４は図２の続く状況を示しており、ＦＧ３乃至６に亘る動作を示す。入力映像フレームＡ４乃至７、入力映像フレームＢ４乃至７に対して、入力映像Ｃは、Ｃ５乃至７である。つまり、ＦＧ４の期間中にシャッタ式眼鏡２００ｃが電源ＯＮ状態となったことが確認され、入力処理部１０１ｃにて映像Ｃ５が選択されたものとする。図中の入力映像Ｃや表示映像にて斜線で示す部分は映像データが無いか、又はデータが完全でなく映像視聴に堪えないことを示す。
【００２４】
図３のＳ３０１において、制御部Ａ１０２は、受信部Ａ１０６がシャッタ式眼鏡２００ａ乃至ｃの送信部Ｂ２０８から受信した情報に基づいて、現時点で電源が入っているシャッタ式眼鏡の個数を調べる。図４の例ではＦＧ３の期間において使用中の眼鏡の数は２である。
Ｓ３０２にて制御部Ａ１０２は、電源がＯＮ状態であるシャッタ式眼鏡の個数が増加したか否かを判定する。その結果、個数が増加していなければＳ３０１に戻るが、個数が増えた場合、Ｓ３０３に進む。図４の例では、ＦＧ３、ＦＧ４の各期間にて個数の確認が行われ、ＦＧ４の期間で個数が３に変化する。
【００２５】
Ｓ３０３にて現時点でＦＧの期間が終了したか否かを制御部Ａ１０２が判定する。ＦＧ期間の途中であればＳ３０３の判定が続き、ＦＧ期間が終わったらＳ３０４に進む。図４の場合、Ｓ３０３にてＦＧ４の期間が終わるのを待つことになる。
Ｓ３０４にて制御部Ａ１０２は、表示部１０５に表示させる映像データのフレームレートを変更するため、映像時分割出力処理部１０４の設定を行い、シャッタ制御のフレームレートの変更も行う。図４の例では表示映像フレームＣ５から変更後のフレームレート（リフレッシュレート）に切り替わり、１２０Ｈｚから１８０Ｈｚに変更される。図４に示すように、フレームレートの変更に伴い、垂直同期信号のタイミングも変更される。このとき、水平同期信号のタイミングも同様に変更される（図示せず）。
【００２６】
Ｓ３０５にて、制御部Ａ１０２は、ＦＧにおける映像フレームの表示順序を変更すべく映像時分割出力処理部１０４を制御する。これにより、追加された映像コンテンツのフレームが他の映像コンテンツのフレームよりも時間的に先に表示される。図４の例では、ＦＧ５の期間から映像フレームの表示順序が変更される。そしてＳ３０１に戻る。映像コンテンツの数が増加した場合、映像フレームの表示順序の変更により、追加された映像コンテンツの映像フレームが先頭に配置される。具体的には、制御部Ａ１０２は、ＦＧの期間内の映像フレームの順番をＡ→ＢからＣ→Ａ→Ｂに変更すべく、映像時分割出力処理部１０４を制御する。これにより表示部１０５はＦＧ５の期間においてＣ５、Ａ５、Ｂ５の順番で映像フレームを表示する。そして制御部Ａ１０２は、シャッタ式眼鏡２００ａ乃至ｃに制御信号を送出して、それらのシャッタ開閉の順番を変更させるように制御する。つまり、Ａ→ＢからＣ→Ａ→Ｂに表示順序が変更され、ＦＧ６の期間にてシャッタ式眼鏡２００ｃがＣ６の表示中に開状態となり、シャッタ式眼鏡２００ａがＡ６の表示中に開状態となり、シャッタ式眼鏡２００ｂがＢ６の表示中に開状態となる。ただし、ＦＧ５の期間中は、シャッタ式眼鏡２００ｃをかけた使用者に対し、シャッタを閉じた状態となるように制御が行われる。これは、表示部１０５のフレームレート（リフレッシュレート）が変更になった直後の最初の映像フレーム（Ｃ５）のフレーム期間で映像乱れを使用者に見せないようにするためである。Ｃ５のフレーム期間中、シャッタ式眼鏡２００ａ乃至ｃは全て閉じた状態となり、次のＦＧ６からシャッタ式眼鏡２００ｃの使用者が視聴できるようにシャッタ開閉動作が開始する。なお、図４では、視聴される映像コンテンツの数が２から３に増えた場合を例示しているが、視聴される映像コンテンツの数が１から２に増える場合も同様である。
【００２７】
以上の構成及び処理によれば、複数のシャッタ式眼鏡を用いて複数人で複数の映像コンテンツを視聴可能なシステムを実現できる。視聴コンテンツ数の変更に伴いフレームレート（リフレッシュレート）を変更する際、視聴者に乱れた映像を見せないようにすることができる。すなわち、視聴を続けているシャッタ式眼鏡２００ａ、２００ｂの使用者に対して、コマ落ち等による映像の乱れを見せることなく、シャッタ式眼鏡２００ｃの追加処理が可能となる。
【００２８】
次に、図５に示すフローチャート及び図６（Ａ）のタイミングチャートを用いて、視聴人数及び映像コンテンツ数が２から１に減少した場合の制御例について説明する。図６（Ａ）は図２に続く状況を示しており、ＦＧ４乃至７に亘る動作を示す。入力映像Ａは、映像フレームＡ５の後に無映像となる。入力映像Ｂは、映像フレームＢ５乃至９である。つまりＦＧ４の期間中にシャッタ式眼鏡２００ａが電源ＯＦＦ状態になったことが確認され、ＦＧ５の期間で入力処理部１０１ａの映像入力が停止した状況である。図中の入力映像Ａや表示映像にて斜線で示す部分の意味は既述の通りである。
【００２９】
図５のＳ５０１にて制御部Ａ１０２は、電源が入っているシャッタ式眼鏡２００ａ乃至ｃの個数を確認する。図６（Ａ）の例ではＦＧ４の期間において個数が２である。Ｓ５０２は眼鏡の個数が変わったか否かの判定処理である。シャッタ式眼鏡２００ａ乃至ｃの個数が変化していなければＳ５０１に戻るが、個数が変化した場合、Ｓ５０３に進む。図６（Ａ）の例では、ＦＧ４の期間中に眼鏡の個数が確認され、個数が１に変化する。
Ｓ５０３にて制御部Ａ１０２は、シャッタ式眼鏡の個数が増加したか否かを判定する。その結果、眼鏡の個数が減少していればＳ５０４に進む。また眼鏡の個数が増えた場合、Ｓ３０３に進む。なおＳ３０３乃至３０５の処理については、図３のＳ３０３乃至３０５と同様であるので説明は割愛する。
【００３０】
Ｓ５０４はＦＧの期間終了判定処理であり、ＦＧの期間途中であればＳ５０４の判定が続行され、ＦＧの期間が終わるとＳ５０５に進む。図６（Ａ）の例では、本ステップにてＦＧ４の期間が終わるのを待つことになる。Ｓ５０５にて、ＦＧの期間における表示順序が変更される。
図６（Ａ）の例では、ＦＧ５の期間における表示順序が変更される。映像コンテンツの数が減る場合、映像の表示順序としては、視聴を中止することになる映像コンテンツの映像フレームが最後に配置される。具体的には、制御部Ａ１０２は、ＦＧ内の映像フレームの順番をＡ→ＢからＢ→Ａに変更すべく、映像時分割出力処理部１０４を制御する。これにより表示部１０５はＦＧ５の期間においてＢ５、Ａ５の順番で映像フレームを表示する。これに伴い、シャッタ式眼鏡２００ａ乃至ｃの開閉順序もＡ→ＢからＢ→Ａに変更される。ただし、Ａ５の表示期間においては、シャッタ式眼鏡２００ａの使用者に対し、シャッタが閉じた状態となるため、該使用者は映像フレームＡ５を見ることはない。これは、表示部１０５のフレームレート（リフレッシュレート）が変更になった最初の映像フレーム（Ａ５）のフレーム期間で、映像乱れを使用者に見せないようにするためである。
【００３１】
次のＳ５０６において、表示映像が電源をＯＦＦ状態にした眼鏡に対応した映像であるか否かが判定される。図６（Ａ）の例では、前述のように、ＦＧ５の期間中に表示順序がＢ→Ａに変更され、判定対象となる映像が、電源をＯＦＦ状態にしたシャッタ式眼鏡２００ａの映像フレームＡ５であるか否かを制御部Ａ１０２が判定する。その結果、対象映像フレームがＡ５の場合、Ｓ５０７に進むが、そうでない場合、Ｓ５０５に戻る。
【００３２】
Ｓ５０７にて制御部Ａ１０２は、表示部１０５に表示する映像データのフレームレートを変更するために、映像時分割出力処理部１０４のフレームレート設定を変更する。制御部Ａ１０２は、シャッタ制御のフレームレートの変更も行う。図６（Ａ）の例では、ＦＧ５の映像フレームＡ５からフレームレート（リフレッシュレート）が１２０Ｈｚから６０Ｈｚに変更される。その後、Ｓ５０１に戻る。
【００３３】
次に、図５の動作フローチャートと図６（Ｂ）のタイミングチャートを用いて、視聴人数及び映像コンテンツ数が３から２に減った場合の制御例について説明する。図６（Ｂ）は図４のＦＧ５に続く状況を示しており、ＦＧ６乃至９に亘る動作を示す。入力映像Ａは、映像Ａ７の後に無映像となる。入力映像Ｂは、映像フレームＢ７乃至１０であり、入力映像Ｃは、映像フレームＣ７乃至１０である。つまりＦＧ６の期間中にシャッタ式眼鏡２００ａが電源ＯＦＦ状態になったことが確認され、ＦＧ７にて入力処理部１０１ａの映像入力が停止した状況である。図中の入力映像Ａや表示映像にて斜線で示す部分の意味は既述の通りである。基本的な処理の流れは図６（Ａ）の場合と同様であり、よって相違点のみを以下に説明する。
Ｓ５０１において、ＦＧ６の期間中にシャッタ式眼鏡の個数が確認され、Ｓ５０２で個数が３から２に変化したと判定される。Ｓ５０３にて、個数が減少したと判定されてＳ５０４に進み、ＦＧ６の期間終了の待ち処理となる。
【００３４】
Ｓ５０５において、ＦＧ７における映像フレームの表示順序が、Ｃ→Ａ→ＢからＣ→Ｂ→Ａに変更され、表示部１０５はＦＧ７の期間においてＣ７、Ｂ７、Ａ７の順番で映像フレームを表示する。これに伴い、シャッタ式眼鏡２００ａ乃至ｃの開閉順序もＣ→Ａ→ＢからＣ→Ｂ→Ａに変更される。ただし、ＦＧ７の期間において、シャッタ式眼鏡２００ａの使用者に対しシャッタが閉じた状態となるため、該使用者が映像フレームＡ７を見ることはない。これは、表示部１０５のフレームレート（リフレッシュレート）が変更になった最初の映像フレーム（Ａ７）のフレーム期間で、映像乱れを使用者に見せないようにするためである。
【００３５】
Ｓ５０６において、電源をＯＦＦ状態にしたシャッタ式眼鏡２００ａの映像フレームＡ７の順番が来たと判定されると、Ｓ５０７に進む。ＦＧ７の映像フレームＡ７からフレームレート（リフレッシュレート）が１８０Ｈｚから１２０Ｈｚに変更され、シャッタ制御のフレームレートも同様に変更される。そしてＳ５０１に戻る。
なお説明は省略するが、本実施形態において映像表示装置１００は、視聴人数や映像コンテンツ数が減少した場合、これに対応する入力映像を黒画像データとして扱う。また映像表示装置１００は、シャッタ式眼鏡２００ａ乃至ｃの電源がＯＦＦ状態となった場合、シャッタ制御信号と音声信号を無効とし、シャッタ開閉動作や音声出力制御を行わない。
なお、図６（Ａ）では、ＦＧ５の期間において、表示映像の映像フレームの順番をＡ→ＢからＢ→Ａに変更する例を示し、図６（Ｂ）では、ＦＧ７の期間において、表示映像の映像フレームの順番をＣ→Ａ→ＢからＣ→Ｂ→Ａに変更する例を示した。これらに限らず、図７に示すように、表示映像の映像フレームの順番を変更せずに維持する実施形態でもよい。つまり図７（Ａ）の場合、図６（Ａ）に比べて、映像フレームＢ５の表示期間が長くなり（６０Ｈｚ参照）、フレームレート変更後の映像の遅延量が少し大きくなる。また図７（Ｂ）の場合、図６（Ｂ）に比べて、映像フレームＢ７の表示期間が長くなり（１２０Ｈｚ参照）、フレームレート変更後の映像の遅延量が少し大きくなる。しかし、映像フレームの順番を変更しなくて済む分、装置内の処理負荷は軽減される。
【００３６】
以上のように複数のシャッタ式眼鏡を用いて複数人で複数の映像コンテンツを視聴可能なシステムにて、視聴コンテンツ数の変更に伴いフレームレート（リフレッシュレート）を変更する際、視聴者に乱れた映像を見せないようにすることができる。すなわち、視聴を続けているシャッタ式眼鏡の使用者に対して、コマ落ち等による映像の乱れを見せることなく、シャッタ式眼鏡２００ｃを制御対象から除外する処理が可能となる。
【符号の説明】
【００３７】
１００  映像表示装置
２００ａ乃至ｃ  シャッタ式眼鏡
１０２  制御部Ａ
１０４  映像時分割出力処理部
２０２  制御部Ｂ
２０４  シャッタ部
【図１】
2011118351.tif 000003
【図２】
2011118351.tif 000004
【図３】
2011118351.tif 000005
【図４】
2011118351.tif 000006
【図５】
2011118351.tif 000007
【図６】
2011118351.tif 000008
【図７】
2011118351.tif 000009